(57)【要約】【課題】主に、張出量の短い庇などで複雑な水返し構造を設けられないような場合であっても、効率的に水返しを行わせることができるようにする。【解決手段】建物本体３の外壁９と、建物本体３の上部に設置された屋根部４の端部近傍との間の位置に、軒先水切２１および軒樋２２を設置した軒先構造２に関する。  軒先水切２１の、軒樋２２の背面によって覆い隠された部分に第一の換気スリット２４Ｈ，２４Ｌを設けるようにする。  第一の換気スリット２４Ｈ，２４Ｌは、上下に分けて設けても良い。  軒先水切２１を建物本体３および屋根部４に取付ける軒先水切固定金具３１に、第一の換気スリット２４Ｈ，２４Ｌとは向きの異なる第二の換気スリット３２Ｈ，３２Ｌを設けても良い。【選択図】図２
2020122260.tif 000002
【特許請求の範囲】
【請求項１】
建物本体の外壁と、該建物本体の上部に設置された屋根部の端部近傍との間の位置に、軒先水切および軒樋を軒先方向へ重ねて設置し、
前記軒先水切の、前記軒樋の背面によって覆い隠された部分に第一の換気スリットを設けたことを特徴とする軒先構造。
【請求項２】
請求項１に記載の軒先構造であって、
前記第一の換気スリットを、上下に分けて設けたことを特徴とする軒先構造。
【請求項３】
請求項１または請求項２に記載の軒先構造であって、
前記軒先水切を前記建物本体および前記屋根部に取付ける軒先水切固定金具に、前記第一の換気スリットとは向きの異なる第二の換気スリットを設けたことを特徴とする軒先構造。
【請求項４】
請求項３に記載の軒先構造であって、
前記軒先水切固定金具の前記屋根部に対する取付け部分に設けた壁上換気面戸に、前記第二の換気スリットとは向きの異なる第三の換気スリットを設けたことを特徴とする軒先構造。
【請求項５】
請求項１ないし請求項４のいずれか１項に記載の軒先構造であって、
前記第一の換気スリットと前記第二の換気スリットと前記第三の換気スリットとは、それぞれ上下に分けて設けられ、
上側に位置する前記第一の換気スリット、前記第二の換気スリット、および、前記第三の換気スリットは、前記建物本体の側へ向かって高さが順次低くなるように設置され、
下側に位置する前記第一の換気スリット、前記第二の換気スリット、および、前記第三の換気スリットは、前記建物本体の側へ向かって高さが順次高くなるように設置されていることを特徴とする軒先構造。
【発明の詳細な説明】
【技術分野】
【０００１】
この発明は、軒先構造に関するものである。
【背景技術】
【０００２】
住宅などの建物には、建物本体の上部に、建物本体から張出すように屋根を設置して、張出部分を庇などの軒先構造としたものがある。
【０００３】
このような軒先構造では、庇にて、小屋裏換気を行う際の水返しを行わせている（例えば、特許文献１参照）。
【先行技術文献】
【特許文献】
【０００４】
【特許文献１】特開２０１５−１３２１２６号公報
【発明の概要】
【発明が解決しようとする課題】
【０００５】
しかしながら、上記軒先構造には、以下のような問題があった。
即ち、張出量の長い庇で、庇の先端側から換気を行わせるようにした場合には、庇の先端から居室までの間に距離がある為、大掛かりな水返しを必要としないことが多い。これに対し、張出量が短い庇では、庇の先端から居室までの距離が短い為、複雑な水返し構造が必要になる。しかし、張出量が短い庇は、物理的にスペースが足りないため、効率的に水返し構造を配置できないことがある。
【０００６】
そこで、本発明は、主に、上記した問題点を解決することを目的としている。
【課題を解決するための手段】
【０００７】
上記課題を解決するために、本発明は、建物本体の外壁と、該建物本体の上部に設置された屋根部の端部近傍との間の位置に、軒先水切および軒樋を軒先方向へ重ねて設置し、前記軒先水切の、前記軒樋の背面によって覆い隠された部分に第一の換気スリットを設けた軒先構造を特徴とする。
【発明の効果】
【０００８】
本発明によれば、上記構成によって、例えば、張出量の短い庇などで複雑な水返し構造を設けられないような場合であっても、効率的に水返しを行わせることができるようになる。
【図面の簡単な説明】
【０００９】
【図１】本実施の形態にかかる軒先構造を示す縦断面図である。
【図２】図１の部分拡大縦断面図である。
【図３】軒先水切と軒先水切固定金具とを組み合わせた状態を示す図である。このうち、（ａ）は側面図、（ｂ）は平面図、（ｃ）は正面図である。
【図４】図３の軒先水切の単品図である。このうち、（ａ）は正面図、（ｂ）は（ａ）の矢印の位置での断面図である。
【図５】図３の軒先水切固定金具の単品図である。このうち、（ａ）は正面図、（ｂ）は（ａ）の矢印の位置での断面図、（ｃ）は平面図、（ｄ）は底面図である。
【図６】壁上換気面戸の部品図である。このうち、（ａ）は（ｂ）の矢印の位置での断面図、（ｂ）は正面図、（ｃ）は（ｂ）の中間部の部分拡大図、（ｄ）は（ｂ）の端部の部分拡大側面図である。
【図７】屋根部に壁上換気面戸を取付ける状態を示す斜視図である。
【図８】壁上換気面戸が取付けられた屋根部に軒先水切を取付ける状態を示す斜視図である。
【発明を実施するための形態】
【００１０】
以下、本実施の形態を、図面を用いて詳細に説明する。
図１〜図８は、この実施の形態を説明するためのものである。
【実施例１】
【００１１】
＜構成＞以下、構成について説明する。
【００１２】
図１（図２の部分拡大図）は、本実施の形態にかかる建物１の軒先構造２を示す縦断面図である。
【００１３】
戸建住宅や集合住宅などの建物１は、建物本体３の上部に、建物本体３から外方へ張出すように屋根部４を設置した軒先構造２を有している。この建物１の軒先構造２は、建物本体３からの屋根部４の張出部分の周辺に形成される。この実施例では、軒先構造２は、張出量の短い庇５となっている。
【００１４】
ここで、建物１は、どのような構造のものであっても良いが、この実施例では、ユニット建物としている。ユニット建物は、工場で予め製造されたほぼ直方体状の建物ユニットを建築現場へ搬送して、建築現場で組み立てることにより、短期間のうちに建物１を構築できるようにしたものである。建物ユニットには、鋼製のもの（鋼製ユニット）や木製のもの（木質系ユニット）などが存在しているが、この実施例では、鋼製のものとしている。鋼製の建物ユニットは、４本の柱の上端部間を４本の天井梁で矩形状に連結し、４本の柱の下端部間を４本の床梁で矩形状に連結してなるボックスラーメン構造のユニットフレームを有している。
【００１５】
建物本体３は、複数の建物ユニットによって構成される。図では、最上階の建物ユニットの天井梁７が示されている。最上階の建物ユニットの天井梁７の外側には外壁９としての外壁パネルが取付けられている。外壁９の上端部は、天井梁７の上端部とほぼ同じ高さとされている。
【００１６】
最上階の建物ユニットの上部に設置される屋根部４は、例えば、複数本の平行な屋根フレーム１１を有している。屋根フレーム１１は、軒先側へ向かって延ばされており、天井梁７の上端部にボルトなどの固定具１２で下側から固定される。屋根フレーム１１の内部には、木桟１３（野路板受木桟）を介して野路板などの屋根面材１４が取付けられる。そして、屋根面材１４の上面に下地鋼板１５などを介して屋根葺材や太陽光パネルなどの屋根パネル１６が設置される。屋根フレーム１１は、カバー部材１７で上側から覆われる。但し、屋根部４の構造はこれに限るものではない。
【００１７】
そして、上記のような構成に対し、この実施例の建物１の軒先構造２は、以下のような構成を備えることができる。
【００１８】
（１）建物本体３の外壁９と、建物本体３の上部に設置された屋根部４の端部近傍との間の位置に、軒先水切２１および軒樋２２を軒先方向２３へ重ねて設置し、軒先水切２１の、軒樋２２の背面によって覆い隠された部分に第一の換気スリット２４Ｈ，２４Ｌを設ける。
【００１９】
ここで、屋根部４の（軒先側の）端部では、屋根フレーム１１や木桟１３や屋根面材１４などは、ほぼ外壁９の表面（外表面）の位置までの長さとされているのに対し、下地鋼板１５やカバー部材１７などは、外壁９の表面の位置よりも僅かに外側へ張出すような長さに設けられる。下地鋼板１５やカバー部材１７などの外壁９からの張出量は、屋根部４からの雨水が軒樋２２へ直接入るように、軒樋２２の幅寸法のほぼ半分程度とされている。これにより、上記したような張出量の短い庇５が形成される。
【００２０】
軒先水切２１は、軒先部分に位置する水切のための部材である。この実施例では、軒先水切２１は、建物本体３と軒樋２２との間で、下地鋼板１５よりも下側の位置に設けられる。軒先水切２１は、軒樋２２の背面側（建物１側）の位置で、軒樋２２に沿って軒樋２２の長手方向（紙面と直交する方向）へ延びるように設置される。軒先水切２１と軒樋２２の背面との間には、換気のための隙間が形成される。
【００２１】
軒先水切２１は、図３、図４に示すようなものである。特に、図４（ａ）（ｂ）に示すように、軒樋２２の背面に沿ってほぼ上下方向に立ち上がる縦面部２１ａと、縦面部２１ａの上端部分から前方（軒先側）へ向けて屈曲形成されたほぼ水平な前曲部２１ｂと、前曲部２１ｂの前端部から下方へ向けて屈曲形成された僅かな長さの下曲部２１ｃとを有している。また、軒先水切２１は、縦面部２１ａの下端部から後方（建物１側）へ向けて屈曲形成されたほぼ水平な後曲部２１ｄと、後曲部２１ｄの後端部から上方へ向けて屈曲形成された僅かな長さの上曲部２１ｅとを有している。下曲部２１ｃの下縁部と、上曲部２１ｅの上縁部には、部分的に二重になるように１８０°に折り返されたヘミング部などを形成することができる。
【００２２】
そして、前曲部２１ｂは、後曲部２１ｄよりも幅広に形成されており、前曲部２１ｂと下地鋼板１５などの屋根部４の建物本体３からの張出部分の下面との間には、両者に接するように防水シール材２５（図１）が介在設置される。防水シール材２５は、前曲部２１ｂの上面に粘着剤や接着剤で貼付けることができる。また、防水シール材２５は、下地鋼板１５などの下面に粘着剤や接着剤で貼付けることができる。
【００２３】
軒樋２２は、図１に示すように、軒先部分に設けられた、横へ延びる樋である。軒樋２２は、軒先水切２１に対してブラケット２６（軒樋支持ブラケット）を介して取付けられる。ブラケット２６は、軒先水切２１に、ネジなどの固定具２７によって外方から横方向に固定される。
【００２４】
軒樋２２は、所要の排水勾配を有して図の紙面と直交する方向へ延ばされる。ブラケット２６は紙面と直交する方向へ所要の間隔を有して複数設置されて、軒樋２２を支持する。軒樋２２は、底面２２ａと、底面２２ａの前後（軒先側および建物１側）の縁部からほぼ上方へ立ち上がる前後の立上部２２ｂ，２２ｃとを有するほぼＵ字状ものとされる。軒樋２２は、前後の立上部２２ｂ，２２ｃの上縁部近傍がブラケット２６によって係止保持される。軒先水切２１は、軒樋２２の後側の立上部２２ｃの裏側（背面側）に隠れるように設置される。
【００２５】
（２）図１、図４に示すように、第一の換気スリット２４Ｈ，２４Ｌを、上下に分けて設けても良い。
【００２６】
ここで、第一の換気スリット２４Ｈ，２４Ｌは、軒先水切２１の縦面部２１ａの上下の縁部の位置に対し、上下の縁部にほぼ沿って延びるように形成されている。第一の換気スリット２４Ｈ，２４Ｌは、縦面部２１ａを前後に貫通するように複数設けられる。この実施例では、上下の第一の換気スリット２４Ｈ，２４Ｌは、長手方向の位置を若干ズラした状態で形成されているが、長手方向の位置を揃えるようにしても良い。
【００２７】
（３）図１、図５（ａ）〜（ｄ）に示すように、軒先水切２１を建物本体３および屋根部４に取付ける軒先水切固定金具３１に対し、第一の換気スリット２４Ｈ，２４Ｌとは向きの異なる第二の換気スリット３２Ｈ，３２Ｌを設けても良い。
【００２８】
ここで、軒先水切固定金具３１は、軒先水切２１の背面側（建物１側）に、設置される。軒先水切固定金具３１は、側方から見てほぼ縦向きのほぼハット型断面を有する部材とされ、軒先水切２１の長手方向に延ばされる。軒先水切固定金具３１は、リベットなどの固定具３３によって、軒先水切２１と組み合わせた状態で軒先水切２１と一体化される。
【００２９】
ほぼハット型断面の軒先水切固定金具３１は、図５（ｂ）に示すように、軒先水切２１の縦面部２１ａにおける上下の第一の換気スリット２４Ｈ，２４Ｌ間の位置に当接固定される縦向きの取付面３１ａと、取付面３１ａの上下端部から建物本体３の外壁９および屋根部４の端部近傍へ向けて延びる上下の段差部３１ｂ，３１ｃと、上下の段差部３１ｂ，３１ｃの建物１側の端部から上または下へ延びて、屋根部４の端部近傍、例えば、木桟１３の端部に当接配置される上側の足部３１ｅ、および、建物本体３の外壁９にほぼ当接状態で配置される下側の足部３１ｅを有している。上側の足部３１ｄは、ネジなどの固定具３５によって外方から横方向に固定される。下側の足部３１ｅは、軒先水切２１の後曲部２１ｄや上曲部２１ｅの内側に収容される（図３（ａ））。下側の足部３１ｅや上曲部２１ｅの裏面側には、外壁９に当接してシールを行うシール材３７などを設けることができる。
【００３０】
第二の換気スリット３２Ｈ，３２Ｌは、上下の段差部３１ｂ，３１ｃに対して、上下の段差部３１ｂ，３１ｃに沿って延びると共に、上下の段差部３１ｂ，３１ｃを上下に貫通するように複数設けられる。上下の段差部３１ｂ，３１ｃの段差量は、軒先水切２１の後曲部２１ｄの幅寸法よりも若干短いものとされる。第二の換気スリット３２Ｈ，３２Ｌの幅寸法は、上下の段差部３１ｂ，３１ｃの段差量とほぼ等しいか、それよりも小さいものとされる。
【００３１】
（４）図１、図６（ａ）〜（ｄ）に示すように、軒先水切固定金具３１の屋根部４に対する取付け部分に設けた壁上換気面戸４１に、第二の換気スリット３２Ｈ，３２Ｌとは向きの異なる第三の換気スリット４２Ｈ，４２Ｌを設けても良い。
【００３２】
ここで、壁上換気面戸４１は、外壁９の上端部と、下地鋼板１５などの下面との間に設けられて、外壁９と室内の境目となる部材である。壁上換気面戸４１は、紙面と直交する方向に延ばされる。壁上換気面戸４１の端部には、継部材４３（図６（ｂ）（ｄ））などを適宜設けることができる。
【００３３】
壁上換気面戸４１は、図６（ａ）に示すように、縦の面４１ａと、縦の面４１ａの上端部から前側へ延びる上フランジ４１ｂと、縦の面４１ａの下端部から前後に延びる下フランジ４１ｃとを有する側面視でほぼカタカナの「ユ」字状の断面形状を有している。
【００３４】
図１に示すように、上フランジ４１ｂは、屋根面材１４の軒先側の端部の位置にて、下地鋼板１５などの下面にほぼ当接するように設置される。下フランジ４１ｃと外壁９の上端部との間には、両者に接するようにシール材４５が介在設置される。
【００３５】
壁上換気面戸４１は、縦の面４１ａを、木桟１３の先端部に取付けられた軒先水切受金具４６に対してネジなどの固定具４７によって外方から横方向に固定される。
【００３６】
図６（ｂ）に示すように、第三の換気スリット４２Ｈ，４２Ｌは、壁上換気面戸４１の縦の面４１ａの下部に縦の面４１ａを前後に貫通するように、上下に隔てて複数設けられる。第三の換気スリット４２Ｈ，４２Ｌは、長手方向の位置を揃えた状態で縦の面４１ａに形成されている。
【００３７】
（５）図２に示すように、第一の換気スリット２４Ｈ，２４Ｌと第二の換気スリット３２Ｈ，３２Ｌと第三の換気スリット４２Ｈ，４２Ｌとは、それぞれ上下に分けて設けられるようにしても良い。
上側に位置する第一の換気スリット２４Ｈ、第二の換気スリット３２Ｈ、および、第三の換気スリット４２Ｈは、建物本体３の側へ向かって高さが順次低くなるように設置されても良い。
下側に位置する第一の換気スリット２４Ｌ、第二の換気スリット３２Ｌ、および、第三の換気スリット４２Ｌは、建物本体３の側へ向かって高さが順次高くなるように設置されても良い。
【００３８】
＜作用＞以下、この実施例の作用について説明する。
【００３９】
軒先構造２は、図７に示すように、屋根部４の軒先側に壁上換気面戸４１を取付け、図８に示すように、壁上換気面戸４１が取付けられた屋根部４の軒先側に軒先水切固定金具３１および軒先水切２１を一体化した部品を取付け、軒先水切２１に予め取付けられたブラケット２６に軒樋２２を取付けることによって構成される。これにより、軒先構造２は張出量の短い庇５となる。そして、この張出量の短い庇５にて、小屋裏換気を行う際の水返しを行わせ得るようにする。
【００４０】
＜効果＞この実施例によれば、以下のような効果を得ることができる。
【００４１】
（効果 １）軒先構造２は、軒樋２２の背面側に軒先水切２１を設けることで、軒先水切２１によって基本的に風雨をブロックすることができるようになる。
そして、軒先水切２１の、軒樋２２の背面によって覆い隠された部分に第一の換気スリット２４Ｈ，２４Ｌを設けることで、第一の換気スリット２４Ｈ，２４Ｌによって換気を行わせることができる。そのため、例えば、張出量の短い庇５などで複雑な水返し構造を設けられないような場合でも、換気性能を確保しつつ効率的に水返しを行わせることができ、構造も簡単である。
【００４２】
（効果 ２）軒先構造２は、第一の換気スリット２４Ｈ，２４Ｌを、上下に分けて設けても良い。これにより、上下の各第一の換気スリット２４Ｈ，２４Ｌから侵入する雨量を少なくすることができる。また、第一の換気スリット２４Ｈ，２４Ｌの一方から入った風雨を、他方のスリットから排出することが期待できる。
【００４３】
（効果 ３）軒先構造２は、軒先水切固定金具３１に、第一の換気スリット２４Ｈ，２４Ｌとは向きの異なる第二の換気スリット３２Ｈ，３２Ｌを備えても良い。これにより、第一の換気スリット２４Ｈ，２４Ｌとは向きの異なる第二の換気スリット３２Ｈ，３２Ｌで、第一の換気スリット２４Ｈ，２４Ｌから内部へ侵入した風雨の勢いをなくすことができる。
【００４４】
（効果 ４）軒先構造２は、壁上換気面戸４１に、第二の換気スリット３２Ｈ，３２Ｌとは向きの異なる第三の換気スリット４２Ｈ，４２Ｌを備えても良い。これにより、外壁９と室内の境目に壁上換気面戸４１を設けて、壁上換気面戸４１で室内への風雨の侵入をブロックすると共に、壁上換気面戸４１に設けた第三の換気スリット４２Ｈ，４２Ｌから換気を行うことができる。また、第二の換気スリット３２Ｈ，３２Ｌとは向きの異なる第三の換気スリット４２Ｈ，４２Ｌで、第二の換気スリット３２Ｈ，３２Ｌから内部へ侵入した風雨の勢いをなくすことができる。
【００４５】
（効果 ５）軒先構造２は、上側に位置する第一の換気スリット２４Ｈ、第二の換気スリット３２Ｈ、および、第三の換気スリット４２Ｈを、建物本体３の側へ向かって高さが順次低くなるように設置し、下側に位置する第一の換気スリット２４Ｌ、第二の換気スリット３２Ｌ、および、第三の換気スリット４２Ｌを、建物本体３の側へ向かって高さが順次高くなるように設置しても良い。これにより、上側に位置する第一の換気スリット２４Ｈ、第二の換気スリット３２Ｈ、および、第三の換気スリット４２Ｈからの換気の経路と、下側に位置する第一の換気スリット２４Ｌ、第二の換気スリット３２Ｌ、および、第三の換気スリット４２Ｌの換気の経路とが交差し難くなるので、換気効率を向上することができる。具体的には、上側に位置する第一の換気スリット２４Ｈ、第二の換気スリット３２Ｈ、および、第三の換気スリット４２Ｈは、軒樋２２の上側を通る換気経路を構成する。また、下側に位置する第一の換気スリット２４Ｌ、第二の換気スリット３２Ｌ、および、第三の換気スリット４２Ｌは、軒樋２２の下側を通る換気経路を構成する。
【符号の説明】
【００４６】
２      軒先構造
３      建物本体
４      屋根部
９      外壁
２１    軒先水切
２２    軒樋
２３    軒先方向
２４Ｈ  第一の換気スリット
２４Ｌ  第一の換気スリット
３１    軒先水切固定金具
３２Ｈ  第二の換気スリット
３２Ｌ  第二の換気スリット
４１    壁上換気面戸
４２Ｈ  第三の換気スリット
４２Ｌ  第三の換気スリット
【図１】
2020122260.tif 000003
【図２】
2020122260.tif 000004
【図３】
2020122260.tif 000005
【図４】
2020122260.tif 000006
【図５】
2020122260.tif 000007
【図６】
2020122260.tif 000008
【図７】
2020122260.tif 000009
【図８】
2020122260.tif 000010